(57)【要約】      （修正有）【課題】隣接した電極ストリングの間のＲＣ値の差を増加させ、タッチパネルの端でのタッチ検出の精度を、改良した投影型性静電容量式タッチパネルを提供する。【解決手段】投影型静電容量式タッチパネルは、並列して交互に基板１００上に形成される複数の第１の電極ストリング１０及び複数の第２の電極ストリング２０を有する。第１及び第２の電極ストリングはそれぞれ、直列に接続した複数の第１の感知電極１１、１１’及び複数の第２の感知電極を有し、第１の端部及び第２の端部を有する。各々の第１の電極ストリングの第１の感知電極は、第１の端部から第２の端部にかけて面積が次第に減少し、一方で各々の第２の電極ストリングの第２の感知電極２１、２１’は、反対に次第に減少する。【選択図】図１
0003179574.tif 000002
【実用新案登録請求の範囲】
【請求項１】
表面を有する基板と；該基板の該表面上に並列して形成される複数の第１の電極ストリングであって、各々の第１の電極ストリングが互いに直列に接続される複数の第１の感知電極を有しかつ第１の端部及び第２の端部を有し、該第１の感知電極の該第１の端部から該第２の端部への面積が次第に減少する、複数の第１の電極ストリングと；該基板の該表面上に並列して形成される複数の第２の電極ストリングであって、各々の第２の電極ストリングが互いに直列に接続される複数の第２の感知電極を有しかつ第１の端部及び第２の端部を有する複数の第２の電極ストリングと；を含み、該第１の電極ストリング及び該第２の電極ストリングが、交互に該基板上に配置され、該第２端部から該第１端部にかけての面積が該第２の感知電極が次第に減少する、投影型静電容量式タッチパネル。
【請求項２】
前記基板が、該基板一方の側に取り付けられる一組の接続パッドを有し；各々の前記第１の電極ストリングが第１のリードワイヤを有し、該第１のリードワイヤの一端が該第１の電極ストリングの前記第１の端部に接続され、その他端が該一組の接続パッドの一つに接続され；各々の前記第２の電極ストリングが第２のリードワイヤを有し、該第２のリードワイヤの一端が、該第２の電極ストリングの前記第２端部に接続され、その他端が該一組の接続パッドの他方に接続される；請求項１に記載の投影型静電容量式タッチパネル。
【請求項３】
前記第１の感知電極の幅が完全なままであり、対応している前記第１の電極ストリングの前記第１の端部から前記第２の端部にかけての高さが次第に減少し；前記第２の感知電極の幅が完全なままであり、対応している前記第２の電極ストリングの該第２の端部から該第１の端部にかけての高さが次第に減少する；請求項２に記載の投影型静電容量式タッチパネル。
【請求項４】
表面を有する基板と；該基板の該表面上に並列して形成される複数の第１の電極ストリップであって、各々の第１の電極ストリップが、第１の端部及び第２の端部を有し、該第１の端部から該第２の端部にかけて幅が次第に減少する複数の第１の電極ストリップと；該基板の該表面上に並列して形成される複数の第２の電極ストリングであって、各々の第２の電極ストリングが、互いに直列に接続される複数の第２の感知電極を有しかつ第１の端部及び第２の端部を有する複数の第２の電極ストリングと；を含み、該第１の電極ストリング及び該第２の電極ストリングが交互に該基板に配置され、該第２の感知電極が該第２の端部から該第１の端部への面積が次第に減少する、投影型静電容量式タッチパネル。
【請求項５】
前記基板が、該基板の一方の側に取り付けられる一組の接続パッドを有し；各々の前記第１の電極ストリングが第１のリードワイヤを有し、該第１のリードワイヤの一端が該第１の電極ストリップの前記第１の端部に接続され、その他端が該一組の接続パッドの一つに接続され；各々の前記第２の電極ストリングが第２のリードワイヤを有し、該第２のリードワイヤの一端が、該第２の電極ストリングの前記第２端部に接続され、その他端が該一組の接続パッドの他方に接続される；請求項４に記載の投影型静電容量式タッチパネル。
【請求項６】
前記第２の感知電極は幅が完全なままであり、対応している前記第２の電極ストリングの前記第２の端部から前記第１の端部にかけての高さが次第に減少する、請求項５に記載の投影型静電容量式タッチパネル。
【考案の詳細な説明】
【技術分野】
【０００１】
本考案は、投影型静電容量式タッチパネルに関するものであり、特に、端の近くでのタッチ検出の精度を改良し、絶縁のための製造プロセスを減少し、特大のタッチパネルの製造を容易にする投影型静電容量式タッチパネルに関するものである。
【背景技術】
【０００２】
図７に関して、従来の投影型静電容量式タッチパネルは、基板７０上に形成された複数のＸ軸電極ストリング７１及び複数のＹ軸電極ストリング７２を有する。Ｘ軸電極ストリング７１は、Ｘ軸の方向に並列して整列配置される。各々のＸ軸電極ストリング７１は、Ｘ軸電極ストリング７１の一端で接続される第１のリードワイヤ７１０を有し、基板７０の端に沿って基板７０の一方の側に取り付けられる一組の接続パッドのうちの一つに接続される。各々のＸ軸電極ストリング７１は、Ｘ軸電極７１１の各々の隣接した二つの間で接続される第１の接続ワイヤ７１２と直列に接続される複数のＸ軸電極７１１を有する。Ｙ軸電極ストリング７２は、Ｙ軸の方向に並列して整列配置される。各々のＹ軸電極ストリング７２は、Ｘ軸電極ストリング７１により垂直に交差し、基板７０の端に沿って基板７０側に取り付けられる一組の接続パッドのうちの他方に接続される第２のリードワイヤ７２０を有する。各々のＹ軸電極ストリング７２は、Ｙ軸電極７２１の各々の隣接した二つの間で接続される第２の接続ワイヤ７２２と直列に接続される複数のＹ軸電極７２１を有する。Ｘ軸電極ストリング７１及びＹ軸電極ストリング７２が基板７０の同一の表面上で形成される場合、二つの対応しているＸ軸電極７１１間の各々の第１の接続ワイヤ７１２もまた、二つの対応しているＹ軸電極７２１間の第２の接続ワイヤ７２２のうちの一つと斜めに接続される。図８に関して、短絡を回避するために、分離層７１３は、第１の接続ワイヤ７１２の一つと第１の接続ワイヤ７１２と交差する対応している第２の接続ワイヤ７２２との間で形成される。
【０００３】
前述の構造から、従来の投影型静電容量式タッチパネルは、マトリクスの形で整列配置されるＸ軸電極７１１及びＹ軸電極７２１を有する。静電容量は、各々のＸ軸電極７１１とＹ軸電極７２１の隣接したものとの間で形成される。指が隣接したＸ軸電極７１１及びＹ軸電極７２１に触れると、その間の静電容量が変わり、指が触れた場所を分析して識別するため、対応している第１のリードワイヤ７１０及び第２のリードワイヤ７２０に接続される一組の接続パッドにより、信号がコントローラに伝達される。
【考案の概要】
【考案が解決しようとする課題】
【０００４】
スマートフォンのようなハイエンドの製品における複数のタッチの特徴及び広範囲な用途にもかかわらず、投影型静電容量式タッチパネルは、以下のような未解決の多くの問題を有する。
【０００５】
１．タッチパネル端上でのタッチ検出の不十分な精度：
上述のように、従来の投影型静電容量式タッチパネルのＸ軸電極７１１及びＹ軸電極７２１は、マトリクスの形で整列配置される。また、静電容量が隣接したＸ軸電極７１１とＹ軸電極７２１との間で形成されるが、各々のＸ軸電極７１１、Ｙ軸電極７２１、第１の接続ワイヤ７１２及び第２の接続ワイヤ７２２は、それ自体のインピーダンスを有する。それゆえに、Ｘ軸電極７１１又はＹ軸電極７２１が対応しているＸ軸リードワイヤ７１０又はＹ軸リードワイヤ７２０に近くなるにつれ、Ｘ軸電極７１１又はＹ軸電極７２１のインピーダンスは小さくなる。逆に、Ｘ軸電極７１１又はＹ軸電極７２１が対応しているＸ軸リードワイヤ７１０又はＹ軸リードワイヤ７２０から遠くなるにつれ、Ｘ軸電極７１１又はＹ軸電極７２１のインピーダンスは高くなる。第１のリードワイヤ７１０及び第２のリードワイヤ７２０から比較的遠いＸ軸電極７１１及びＹ軸電極７２１は、タッチパネルの対応している端に隣接して位置する。インピーダンス蓄積からみて、タッチパネル端上でのタッチ検出の精度は、比較的不十分である。そのような状況下で、特大の投影型静電容量式タッチパネルは製造されそうにない。
【０００６】
２．より複雑な製造：
Ｘ軸電極ストリング７１及びＹ軸電極ストリング７２が基板７０の同一表面上に形成される場合、第２の電極ストリング７２の対応している第２の接続ワイヤ７２２から、各々のＸ軸電極ストリング７１上で第１の接続ワイヤ７１２を分離するための追加の製造プロセスでは、基板７０上にインジウム・スズ酸化物（ＩＴＯ）層を形成した後、Ｘ軸電極ストリング７１を形成するためにエッチングし、各々の第１の接続ワイヤ７１２上で分離層７１３をさらに形成し、対応している第２の接続ワイヤ７２２を分離層７１３上に形成するので、第１の接続ワイヤ７１２と第２の接続ワイヤ７２２との間で短絡は生じない。しかしながら、製造プロセスは、従来の投影型静電容量式タッチパネルの製造プロセスに複雑性を加える。
【課題を解決するための手段】
【０００７】
本考案の目的は、隣接した電極ストリングのＲＣ値の大きな相違を達成するように各々の電極ストリングの感知電極の面積を次第に調整し、それによって、タッチパネル端上のタッチ検出の精度を改良し、特大の投影型静電容量式タッチパネルの製造を容易にする投影型静電容量式タッチパネルを提供することである。
【０００８】
前述の目的を達成するため、投影型静電容量式タッチパネルは、基板、複数の第１の電極ストリング及び複数の第２の電極ストリングを有する。
【０００９】
基板は、表面を有する。
【００１０】
第１の電極ストリングは、基板の表面上に並列して形成される。各々の第１の電極ストリングは互いに直列に接続される複数の第１の感知電極を有し、第１の端部及び第２の端部を有する。第１の感知電極は、第１の端部から第２の端部にかけての面積が次第に減少する。
【００１１】
第２の電極ストリングは、基板の表面上に並列して形成される。各々の第２の電極ストリングは、互いに直列に接続される複数の第２の感知電極を有し、第１の端部及び第２の端部を有する。第１の電極ストリング及び第２の電極ストリングは、交互に基板に配置される。第２の感知電極は、第２の端部から第１の端部にかけての面積が次第に減少する。
【００１２】
各々の第１の電極ストリングの第１の感知電極が第１の端部から第２の端部にかけて面積が次第に減少し、各々の第２の電極ストリングの第２の感知電極が第２の端部から第１の端部にかけての面積が次第に減少すると仮定すると、同一の電極ストリング上の各々の感知電極のインピーダンスは調整することができる。また、第１及び第２の電極ストリングの第１及び第２の感知電極が反対方向に沿った面積が次第に減少するにつれて、面積で次第に増加している感知電極は、面積が次第に減少している感知電極と接近する。それゆえに、隣接した感知電極のＲＣ値の差分値は、端の近くでのタッチ検出の精度を改良し、特大タッチパネルの製造を容易にするように広げられる。一方で、第１及び第２の電極ストリング上の第１及び第２の感知電極はマトリクスの形で配置され、第１及び第２の電極ストリングは、並列してかつ交互に整列配置される。言い換えると、第１及び第２の電極ストリングは全く交差しない。したがって、分離層を形成するための製造プロセスは、投影型静電容量式タッチパネルの製造プロセスを単純化するために排除され得る。
【００１３】
あるいは、前述の目的を達成するため、投影型静電容量式タッチパネルは、基板、複数の第１の電極ストリング及び複数の第２の電極ストリングを有する。
【００１４】
基板は、表面を有する。
【００１５】
第１の電極ストリップは、基板の表面上に並列して形成される。各々の第１の電極ストリップは第１の端部及び第２の端部を有し、第１の端部から第２の端部へ幅が次第に減少する。
【００１６】
第２の電極ストリングは、基板の表面上に並列して形成される。各々の第２の電極ストリングは、互いに直列に接続される複数の第２の感知電極を有し、第１の端部及び第２の端部を有する。第１の電極ストリング及び第２の電極ストリングは、交互に基板に配置される。第２の感知電極は、第２の端部から第１の端部にかけての面積が次第に減少する。
【００１７】
各々の第１の電極ストリップの幅が第１の端部から第２の端部へ次第に減少し、各々の第２の電極ストリングの第２の感知電極が第２の端部から第１の端部にかけての面積が次第に減少すると仮定すると、同一の第２の電極ストリング上の各々の第２の感知電極のインピーダンスは調整することができる。また、第１の電極ストリップ及び第２の電極ストリングが反対方向に沿って幅及び面積が次第に減少するにつれて、面積が次第に減少している第２の感知電極は、幅が次第に減少している第１の電極ストリングと接近する。それゆえに、隣接した感知電極のＲＣ値の差分値は、端の近くでのタッチ検出の精度を改良し、特大タッチパネルの製造を容易にするように広げられる。
【００１８】
本考案の他の目的、利点及び新規な特徴は、添付の図面を参照しながら、以下の詳細な説明から明らかになる。
【図面の簡単な説明】
【００１９】
【図１】図１は、本考案による投影型静電容量式タッチパネルの第１の実施態様の平面図である；
【図２】図２は、図１の投影型静電容量式タッチパネルの部分拡大平面図である；
【図３】図３は、図１の投影型静電容量式タッチパネルの他の部分拡大平面図である；
【図４】図４は、本考案による投影型静電容量式タッチパネルの第２の実施態様の平面図である；
【図５】図５は、図４の投影型静電容量式タッチパネルの部分拡大平面図である；
【図６】図６は、図４の投影型静電容量式タッチパネルの他の部分拡大平面図である；
【図７】図７は、従来の投影型静電容量式タッチパネルの平面図である；
【図８】図８は、図７の従来の投影型静電容量式タッチパネルの部分断面の側面図である。
【考案を実施するための形態】
【００２０】
図１に関して、本考案による投影型静電容量式タッチパネルの第１の実施態様は、基板１００、複数の第１の電極ストリング１０、複数の第２の電極ストリング２０及び一組の接続パッド１０１を有する。第１の電極ストリング１０及び第２の電極ストリング２０は、基板１の一つの表面上に形成される。一組の接続パッド１０１は、基板１００の一方の側に取り付けられ、外部のコントローラに接続される。
【００２１】
第１の電極ストリング１０は、基板１００の表面上に並列して形成される。本実施態様において、第１の電極ストリング１０は水平方向において並列して整列配置され、各々の第１の電極ストリング１０は、互いに直列に接続される複数の第１の感知電極１１、１１’を有する。各々の第１の電極ストリング１０は、第１の端部及び第２の端部を有する。本実施態様において、第１の端部及び第２の端部は、それぞれ図上の左端及び右端で示される。第１の感知電極１１、１１’は、第１の端部から第２の端部にかけての面積が次第に減少する。図２及び３に関して、各々の第１の電極ストリング１０の第１の端部上の第１の感知電極１１は最大の面積を有し、一方で、各々の第１の電極ストリング１０の第２の端部上の第１の感知電極１１は最小の面積を有する。本実施態様において、第１の感知電極１１、１１’の面積を次第に減少させる方法は、第１の感知電極１１、１１’の幅を完全に保ち、第１の端部から対応している第１の電極ストリング１０の第２端部にかけて次第にその高さを減少させることである。それゆえに、第１の電極ストリング１０の第１の感知電極１１、１１’は、垂直方向に互いに直接整列配置する。各々の第１の電極ストリング１０は、第１のリードワイヤ１２を有する。第１のリードワイヤ１２の一端は、第１の電極ストリング１０の第１の端部に接続され、その他端は、一組の接続パッド１０１の一つに接続される。
【００２２】
第２の電極ストリング２０は、水平方向において並列して基板１００の表面上に形成される。第１の電極ストリング１０及び第２の電極ストリング２０は、交互に垂直方向に基板１００に配置される。各々の第２の電極ストリング２０は、互いに直列に接続される複数の第２の感知電極２１、２１’を有し、第１の端部及び第２の端部を有する。本実施態様において、第１の端部及び第２の端部はまだ、それぞれ図上の左端及び右端で示される。第２の感知電極２１、２１’は、第２端部から第１端部にかけての面積が次第に減少する。各々の第２の電極ストリング２０の第１の端部上の第２の感知電極２１’は最小の面積を有し、一方で各々の第２の電極ストリング２０の第２の端部上の第２の感知電極２１は最大の面積を有する。本実施態様において、第２の感知電極２１、２１’の面積を次第に減少させる方法は、第２の感知電極２１、２１’の幅を完全に保ち、第２端部から対応している第２の電極ストリング２０の第１の端部にかけてその高さを次第に減少させることである。それゆえに、第２の電極ストリング２０の第２の感知電極２１、２１’は、垂直方向に互いに直接整列配置する。言い換えると、第１の感知電極１１、１１’及び第２の感知電極２１、２１’は、マトリクスの形で配置される。各々の第２の電極ストリング２０は、第２のリードワイヤ２２を有する。第２のリードワイヤ２２の一端は、第２の電極ストリング１０の第２の端部に接続され、その他端は、一組の接続パッド１０１の他方に接続される。
【００２３】
前述のことから、各々の第１の電極ストリング１０の第１の感知電極１１、１１’は、第１の端部から第２の端部にかけて面積が次第に減少し、各々の第２の電極ストリング２０の第２の感知電極２１、２１’は、第２の端部から第１の端部へ反対方向に面積が次第に減少する。各々の第１の感知電極１１、１１’及び第２の感知電極２１、２１’のインピーダンスがその面積と比例すると、第１の感知電極１１、１１’及び第２の感知電極２１、２１’のインピーダンス値は、その面積を次第に減少させることによって調整され得る。一方で、各々の第１の電極ストリング１０上の第１の感知電極１１、１１’の面積及び第２の感知電極２１、２１’の面積は、互いにそれぞれの反対方向に沿って次第に減少し、次第に減少している面積を有する第１の感知電極１１、１１’は、次第に増加している面積を有する第２の感知電極２１、２１’に接近する。本質的に、各々の第１の電極ストリング１０及び隣接した第２の電極ストリング２０で、最大の面積を有する第１の感知電極１１及び第２の感知電極２１は、最小の面積を有する第２の感知電極２１’及び第１の感知電極１１’にそれぞれ接近する。その結果、それぞれの隣接した第１の電極ストリング１０及び第２の電極ストリング２０の両側の第１の感知電極１１、１１’及び第２の感知電極２１、２１’のＲＣ値（電気抵抗容量定数）の差は、最大であるようである。ＲＣ値の最も大きな差のため、タッチ信号は容易に検出され、検出精度のための較正は容易に実行され得る。したがって、タッチパネルの端でのタッチ検出の不十分な精度は、特大の投影型静電容量式タッチパネルの製造のために解決することができる。
【００２４】
さらに第１の電極ストリング１０の第１の感知電極１１、１１’及び、第２の電極ストリング２０の第２の感知電極２１、２１’がマトリクスの形で配置され、並列してかつ交互に整列配置されると、第１の電極ストリング１０及び第２の電極ストリング２０が交差するのは不可能である。第１の電極ストリング１０と第２の電極ストリング２０との間で交差点がないので、分離層を形成するプロセスは、製造プロセス全体から取り除くことができ、それによって製造プロセスを単純化する。
【００２５】
図４に関して、本考案による投影型静電容量式タッチパネルの第２の実施態様は、基板１００、複数の第１の電極ストリング１０’、複数の第２の電極ストリング２０’及び一組の接続パッド１０１を有する。第１の電極ストリング１０’及び第２の電極ストリング２０は、基板１の一つの表面上に形成される。一組の接続パッド１０１は基板１００一方の側に取り付けられ、外部のコントローラに接続される。
【００２６】
第２の電極ストリング２０は構造的に第１実施態様のものと同一であり、基板１００の表面上に並列して形成される。各々の第２の電極ストリング２０は、互いに直列に接続される複数の第２の感知電極２１、２１’を有する。各々の第２の感知電極２１、２１’は、第２の端部から第１の端部にかけて面積が次第に減少する。各々の第２の電極ストリング２０は、第２のリードワイヤ２２を有する。第２のリードワイヤ２２の一端は、第２の電極ストリング１０の第２の端部に接続され、その他端は、一組の接続パッド１０１の一つに接続される。
【００２７】
第１の電極ストリング１０’は、基板１００の表面上に並列して形成される。第１の電極ストリング１０’及び第２の電極ストリング２０は、並列してかつ交互に基板１００上に配置される。本実施態様において、各々の第１の電極ストリング１０’はその幅が垂直方向に沿って測定される伸長した細長いＩＴＯ層であり、第１の端部及び第２の端部を有する。第１の端部及び第２の端部はなおそれぞれ図上の左端及び右端で示される。各々の第１の電極ストリング１０’は、第１の端部から第２の端部にかけて幅が次第に減少する。図５に関して、第１の端部に近づくにつれて、第１の電極ストリング１０’の幅が大きくなる。図６に関して、第２の端部に近づくにつれて、第１の電極ストリング１０’の幅が小さくなる。各々の第１の電極ストリング１０’は、第１のリードワイヤ１２を有する。第１のリードワイヤ１２の一端は、第１の電極ストリング１０’の第１の端部に接続され、その他端は、一組の接続パッド１０１の一つに接続される。
【００２８】
本実施態様において、各々の第２の電極ストリング２０の第２の感知電極２１、２１’は第２の端部から第１の端部にかけて面積が次第に減少し、各々の第１の電極ストリング１０’は、第１の端部から第２の端部への反対方向に幅が次第に減少する。そのような構造であると仮定すると、第２の電極ストリング２０上の各々の第２の感知電極２１、２１’のインピーダンスは調節可能であり、各々の第１の電極ストリング１０’は、隣接した第２の電極ストリング２０上で面積が次第に増加する第２の感知電極２１に対応して幅が次第に減少することができるので、幅が次第に減少している第１の電極ストリング１０’は、面積が次第に増加する第２の感知電極２１を有する近接して第２の電極ストリング２０と隣接することができる。したがって、隣接した第２の電極ストリング２０の各々の第１の電極ストリング１０’と第２の感知電極２１、２１’との間のＲＣ値の差は増加することができ、検出精度のための較正は容易に実行され、タッチパネルの端でのタッチ検出の精度は特大の投影型静電容量式タッチパネルのために改良され得る。
【００２９】
本考案の多くの特徴及び利点が、考案の構造及び機能の詳細と共に前述の記載において説明されてきたが、本開示は解説用のみのためである。添付の請求の範囲が表す用語の幅広い一般的な意味によって示される最大限の範囲へ考案の原理の範囲内で特に形状、サイズ及び部品配置に関して、詳細に変更点が作成されてもよい。
【図１】
0003179574.tif 000003
【図２】
0003179574.tif 000004
【図３】
0003179574.tif 000005
【図４】
0003179574.tif 000006
【図５】
0003179574.tif 000007
【図６】
0003179574.tif 000008
【図７】
0003179574.tif 000009
【図８】
0003179574.tif 000010